(57)【要約】【課題】本発明は、重量計量部をＩＨヒーター方式の炊飯器に適用させることを目的とする。【解決手段】上下方向に着脱可能に鍋２を収納するために本体１内に設けられた収納部３と、前記鍋２を加熱するために前記収納部３の下方に設けられた電磁誘導加熱コイル４と、前記鍋２の底面を支持するために電磁誘導加熱コイル４の下方に設けられた底面支持具１６ａと、前記底面支持具１６ａを備え鍋２を支持するために前記電磁誘導加熱コイル４の下方に設けられた支持体７（支持盤５、アーム６）と、前記支持体７を備えた重量計量部９を有し、底面支持具１６ａ及び支持体７の一部を収納部３内に位置させて、底面支持具１６ａで鍋２を支持し、支持体７で鍋２を支持又は保持する構成にすることで鍋及び／又は内容物の重量を重量計量部９に伝達する。【選択図】図１
2006212052.tif 000002
【特許請求の範囲】
【請求項１】
上下方向に着脱可能に鍋を収納するために本体内に設けられた収納部と、前記鍋を加熱するために前記収納部の下方に設けられた電磁誘導加熱部と、前記鍋の底面を支持するために電磁誘導加熱部の下方に設けられた底面支持具と、前記底面支持具を備え鍋を支持するために前記電磁誘導加熱部の下方に設けられた支持体と、前記支持体を備えた重量計量部を有し、底面支持具及び支持体の一部を収納部内に位置させて、底面支持具で鍋を支持し、支持体で鍋を支持又は保持する構成にすることで鍋及び／又は内容物の重量を重量計量部に伝達するようにしたことを特徴とする炊飯器。
【請求項２】
上下方向に着脱可能に鍋を収納するために本体内に設けられた収納部と、前記鍋を加熱するために前記収納部の下方に設けられた電磁誘導加熱部と、前記電磁誘導加熱部の下方に設けられた支持体と、前記支持体を備えた重量計量部を有し、前記支持体の一部を収納部内に位置させて鍋を支持する構成にすることで鍋及び／又は内容物の重量を重量計量部に伝達するようにしたことを特徴とする炊飯器。
【請求項３】
前記鍋の底面を支持体で支持するようにした請求項１又は２記載の炊飯器。
【請求項４】
前記鍋の底面に溝を設け、その溝に支持体の一部が嵌合するようにした請求項３記載の炊飯器。
【請求項５】
前記鍋の底面に円周状の溝を設け、その溝に支持体の一部が嵌合するようにした請求項３記載の炊飯器。
【請求項６】
前記鍋の側面に相対して支持体の一部が存在するようにした請求項１記載の炊飯器。
【請求項７】
前記鍋の側面に鍋の着脱方向に伸びる溝を設け、その溝に支持体の一部が嵌合するようにした請求項６記載の炊飯器。
【請求項８】
前記支持体の一部に前記鍋の着脱方向にのみ回転する回転体を有する請求項６又は７記載の炊飯器。
【請求項９】
前記電磁誘導加熱部の下方に設けられた支持盤と、収納部に収納された鍋を支持するために前記支持盤に設けられたアームからなる支持体を有する請求項１記載の炊飯器。
【請求項１０】
前記電磁誘導加熱部の下方に設けられた支持盤と、収納部に収納された鍋を支持するために前記支持盤に設けられたアームからなる支持体を有する請求項２記載の炊飯器。
【発明の詳細な説明】
【技術分野】
【０００１】
本発明は、重量計量部を備えたＩＨ方式の炊飯器に関するものである。
【背景技術】
【０００２】
近年、重量計量部を備えた自動で米の量及び水の量を計量し炊飯を行う、重量計量炊飯器が利用されている。
【０００３】
この種の炊飯器は炊飯ヒーターの上に内鍋を乗せて、内鍋と被炊飯物と炊飯ヒーターの全体重量を重量計量部により計量して、米計量に合致した最適な水計量を得るよう構成されたものである。
【０００４】
図１３は、特許文献１に記載された従来の重量計量部を用いた炊飯器を示すものである。図１３に示すように、炊飯器本体３０は、本体内に着脱自在に収納される鍋３１、前記鍋３１を収納するための保護枠３２、前記保護枠３２の下方に位置する炊飯ヒーター３３及び重量計量部３４を備えている。重量計量部３４はシャーシー３５、歪みゲージを貼付した板バネ３６、テーブル３７で構成されている。保護枠３２の底面に重量計量部３４のシャーシー３５が固定され、シャーシー３５と板バネ３６、テーブル３７は鍋３１の底面に対して略平行に取付けられ、テーブル３７には炊飯ヒーター３３が取付けられ、鍋３１は炊飯ヒーター３３上に乗る。
【０００５】
上記構成において鍋３１に米や水等の内容物を入れ、炊飯器本体３０に収納すると鍋３１は炊飯ヒーター３３上に乗り、内容物の重量は炊飯ヒーター３３及びテーブル３７を介して板バネ３６に伝わり、板バネ３６に貼付した歪みゲージの歪み量を電圧等に変換して内容物の重量を計量する。
【０００６】
一方、近年、従来のものよりハイパワーでご飯を更においしく炊ける炊飯器として、誘導加熱の原理を応用したＩＨヒーター方式の炊飯器（以下、ＩＨ炊飯器）が実用化されている。
【０００７】
図１４は特許文献２に記載された従来のＩＨ炊飯器を示したものである。図１４に示すように、炊飯器本体４０は上面が開口し、この本体４０内部に鍋４１の収納部である保護枠４２が設置され、保護枠４２の底面部である保護枠下４２ａの底面外側に加熱手段である電磁誘導加熱コイル４３が設けられている。ボディ４４はＩＨ炊飯器の内部構造部品を内装し、蓋４５は本体４０の上部を構成する上枠４６の上部に一体成形されたヒンジ部材にピン４７を介して、回転自在に支持されている。保護枠４２の側面部である保護枠胴４２ｂは、鍋４１を収納させる役割も備えている。また、保護枠胴４２ｂの外方部には鍋４１の側面部を加熱し、保温時に発生する露などをとばす側面電磁誘導加熱コイル４８を配設している。
【特許文献１】特開平２−３０５５１３号公報
【特許文献２】特開２００１−２２４４９４号公報
【発明の開示】
【発明が解決しようとする課題】
【０００８】
ここで、図１３に記載の重量計量部３４を図１４記載のＩＨ炊飯器本体４０に適用しようとする場合、重量計量部３４は上記炊飯器本体３０における実施例と同様に、ＩＨ炊飯器本体４０においても保護枠下４２ａの下方に設置しなければならない。
【０００９】
しかしながら、ＩＨ炊飯器本体４０において保護枠下４２ａの下方には、すでに上記電磁誘導加熱コイル４３が設置してある。
【００１０】
従って、電磁誘電加熱コイルが存在するＩＨ炊飯器においても電磁誘導加熱コイルの設置に支障を与えることなく重量計量部を適用することが望まれていた。
【００１１】
本発明は、上記従来の課題を解決するものであり、複雑な機構を用いることなく重量計量部をＩＨ炊飯器に適用することを目的とするものである。
【課題を解決するための手段】
【００１２】
上記目的を達成するために本発明は、上下方向に着脱可能に鍋を収納するために本体内に設けられた収納部と、前記鍋を加熱するために前記収納部の下方に設けられた電磁誘導加熱部と、前記鍋の底面を支持するために電磁誘導加熱部の下方に設けられた底面支持具と、前記底面支持具を備え鍋を支持するために前記電磁誘導加熱部の下方に設けられた支持体と、前記支持体を備えた重量計量部を有し、底面支持具及び支持体の一部を収納部内に位置させて、底面支持具で鍋を支持し、支持体で鍋を支持又は保持する構成にしたものである。
【００１３】
上記構成により、重量計量部をＩＨ炊飯器に適用することが可能となる。
【発明の効果】
【００１４】
本発明によれば、上下方向に着脱可能に鍋を収納するために本体内に設けられた収納部と、前記鍋を加熱するために前記収納部の下方に設けられた電磁誘導加熱部と、前記鍋の底面を支持するために電磁誘導加熱部の下方に設けられた底面支持具と、前記底面支持具を備え鍋を支持するために前記電磁誘導加熱部の下方に設けられた支持体と、前記支持体を備えた重量計量部を有し、底面支持具及び支持体の一部を収納部内に位置させて、底面支持具で鍋を支持し、支持体で鍋を支持又は保持する構成にすることで鍋及び／又は内容物の重量を重量計量部に伝達するようにした結果、重量計量部をＩＨ炊飯器に適用することができるという効果を奏する。また、支持体は鍋の回転抑制の作用も有する。
【発明を実施するための最良の形態】
【００１５】
第１の発明は、上下方向に着脱可能に鍋を収納するために本体内に設けられた収納部と、前記鍋を加熱するために前記収納部の下方に設けられた電磁誘導加熱部と、前記鍋の底面を支持するために電磁誘導加熱部の下方に設けられた底面支持具と、前記底面支持具を備え鍋を支持するために前記電磁誘導加熱部の下方に設けられた支持体と、前記支持体を備えた重量計量部を有し、底面支持具及び支持体の一部を収納部内に位置させて、底面支持具で鍋を支持し、支持体で鍋を支持又は保持する構成にすることで、鍋及び／又は内容物の重量を重量計量部に伝達するようにしたことを特徴とする炊飯器である。
【００１６】
上記構成により、収納部下に電磁誘導加熱部を有するＩＨ炊飯器においても底面支持具と支持体を介して鍋及び／又は内容物の重量を重量計量部に伝えることが可能となるため、ＩＨ炊飯器に重量計量部を適用することが可能となる。また、上記支持体は鍋の回転抑制にも作用する。
【００１７】
第２の発明は、上下方向に着脱可能に鍋を収納するために本体内に設けられた収納部と、前記鍋を加熱するために前記収納部の下方に設けられた電磁誘導加熱部と、前記電磁誘導加熱部の下方に設けられた支持体と、前記支持体を備えた重量計量部を有し、前記支持体の一部を収納部内に位置させて鍋を支持する構成にすることで鍋及び／又は内容物の重量を重量計量部に伝達するようにしたことを特徴とする炊飯器である。
【００１８】
上記構成により、収納部下に電磁誘導加熱部を有するＩＨ炊飯器においても支持体を介して鍋及び／又は内容物の重量を重量計量部に伝えることが可能となるため、ＩＨ炊飯器に重量計量部を適用することが可能となる。また、上記支持体は鍋の回転抑制にも作用する。
【００１９】
第３の発明は、鍋の底面を支持体で支持する構成にしたことで、鍋及び／又は内容物の重量を重量計量部に伝達するようにしたことを特徴とする炊飯器である。
【００２０】
上記構成により、収納部下に電磁誘導加熱部を有するＩＨ炊飯器においても支持体を介して鍋及び／又は内容物の重量を重量計量部に伝えることが可能となるため、ＩＨ炊飯器に重量計量部を適用することが可能となる。また、上記支持体は鍋の底面に当接するため鍋の回転抑制にも作用する。
【００２１】
第４の発明は、鍋の底面に溝を設け、その溝に支持体の一部が嵌合する構成にしたことで、鍋及び／又は内容物の重量を重量計量部に伝達するようにしたことを特徴とする炊飯器である。
【００２２】
上記構成により、収納部下に電磁誘導加熱部を有するＩＨ炊飯器においても支持体を介して鍋及び／又は内容物の重量を重量計量部に伝えることが可能となるため、ＩＨ炊飯器に重量計量部を適用することが可能となる。また、上記嵌合溝により、支持体による回転抑制の効果は、嵌合する溝がない場合よりも増大する。
【００２３】
第５の発明は、鍋の底面に円周状の溝を設け、その溝に支持体の一部が嵌合する構成にしたことで、鍋及び／又は内容物の重量を重量計量部に伝達するようにしたことを特徴とする炊飯器である。
【００２４】
上記構成により、収納部下に電磁誘導加熱部を有するＩＨ炊飯器においても支持体を介して鍋及び／又は内容物の重量を重量計量部に伝えることが可能となるため、ＩＨ炊飯器に重量計量部を適用することが可能となる。また、溝を円周状にすることにより、本体に鍋を収納時、鍋の収納方向を軸として鍋をどの方向に向けて収納したとしても、支持体の一部は鍋の底面溝に嵌合するため、底面溝と支持体の位置を気にすることなく、鍋を本体内に収納することができ、上記溝を設けた場合と同様の効果が得られる。
【００２５】
第６の発明は、底面支持具に加えて鍋の側面に相対して支持体の一部が存在する構成にしたことで、鍋及び／又は内容物の重量を重量計量部に伝達するようにしたことを特徴とする炊飯器である。
【００２６】
上記構成により、収納部下に電磁誘導加熱部を有するＩＨ炊飯器においても底面支持具と支持体を介して鍋及び／又は内容物の重量を重量計量部に伝えることが可能となるため、ＩＨ炊飯器に重量計量部を適用することが可能となる。また、上記支持体は鍋の側面から部分的に当接するようになるため鍋の回転抑制にも作用する。
【００２７】
第７の発明は、底面支持具に加えて鍋の側面に鍋の着脱方向に伸びる溝を設け、その溝に支持体の一部が嵌合する構成にしたことで、鍋及び／又は内容物の重量を重量計量部に伝達するようにしたことを特徴とする炊飯器である。
【００２８】
上記構成により、収納部下に電磁誘導加熱部を有するＩＨ炊飯器においても底面支持具と支持体を介して鍋及び／又は内容物の重量を重量計量部に伝えることが可能となるため、ＩＨ炊飯器に重量計量部を適用することが可能となる。また、上記嵌合溝により、支持体による回転抑制の効果は、嵌合する溝がない場合よりも増大する。
【００２９】
第８の発明は、支持体の一部に鍋の着脱方向にのみ回転する回転体を有する構成にすることで、鍋及び／又は内容物の重量を重量計量部に伝達するようにしたことを特徴とする炊飯器である。
【００３０】
上記構成により、収納部下に電磁誘導加熱部を有するＩＨ炊飯器においても支持体を介して鍋及び／又は内容物の重量を重量計量部に伝えることが可能となるため、ＩＨ炊飯器に重量計量部を適用することが可能となる。また、回転体の回転により鍋の収納をスムーズに行うことができる。さらに、回転体は、ご飯をほぐしたり茶碗にご飯をよそう時において生じる力、すなわち、しゃもじの操作等によって生じる鍋の回転力に対して抵抗として作用し、回転体を設けなかったものよりも、より大きな鍋の回転抑制効果を得ることができる。
【００３１】
第９の発明は、底面支持具に加えて電磁誘導加熱部の下方に設けられた支持盤と、収納部に収納された鍋を支持するために前記支持盤に設けられたアームからなる支持体を有する構成にすることで、鍋及び／又は内容物の重量を重量計量部に伝達するようにしたことを特徴とする炊飯器である。
【００３２】
上記構成により、底面支持具と、収納部下に電磁誘導加熱部を有するＩＨ炊飯器においてもアーム及び支持盤からなる支持体を介して鍋及び／又は内容物の重量を重量計量部に伝えることが可能となるため、ＩＨ炊飯器に重量計量部を適用することが可能となる。また、上記アームは鍋の回転抑制にも作用する。
【００３３】
第１０の発明は、電磁誘導加熱部の下方に設けられた支持盤と、収納部に収納された鍋を支持するために前記支持盤に設けられたアームからなる支持体を有する構成にすることで、鍋及び／又は内容物の重量を重量計量部に伝達するようにしたことを特徴とする炊飯器である。
【００３４】
上記構成により、収納部下に電磁誘導加熱部を有するＩＨ炊飯器においてもアーム及び支持盤からなる支持体を介して鍋及び／又は内容物の重量を重量計量部に伝えることが可能となるため、ＩＨ炊飯器に重量計量部を適用することが可能となる。また、上記アームは鍋の回転抑制にも作用する。
【実施例】
【００３５】
以下、本発明の実施例について図面を用いて説明する。
【００３６】
（実施例１）
図１は本発明の実施例１における炊飯器の断面図を示すものである。図２（ａ）は要部の分解斜視図である。
【００３７】
炊飯器本体１は上面が開口し、本体１内には上下方向に着脱可能な鍋２が収納される。本体１内部には鍋２の収納部として保護枠３が設置され、この保護枠３の底面部である保護枠下３ｂの下方に鍋２を加熱する電磁誘導加熱コイル４（電磁誘導加熱部）が設けられている。
【００３８】
電磁誘導加熱コイル４の下方に支持体７を位置させる。支持体７は円形の支持盤５を備え、支持盤５には３本の棒状のアーム６をそれぞれの一端を支持盤５の円周部に支持盤５の円の中心に対して等角度になるよう結合している。支持体７における３本の棒状アーム６は保護枠下３ｂに設けた貫通孔３ｂ１を通って、その先端部が保護枠３内に位置し、鍋２の底面と当接する構造を有している。
【００３９】
支持体７における、支持盤５の一面の中心部にガイド筒１６ａが設けられ、ガイド筒１６ａの中にコイルバネ１６ｂで付勢された温度センサー１６が設けられている。温度センサー１６とガイド筒１６ａも保護枠下３ｂに設けられた貫通孔３ｂ２を通って、その先端部が収納部３内に位置する。両貫通孔３ｂ１、３ｂ２は電磁誘導加熱コイル４の設置に支障のない位置に設ける。
【００４０】
支持盤５における他面には固定具１７ａを介して起歪体８の一端を固定し、起歪体８の他端は固定具１７ｂを介して本体１に固定している。以下、支持体７及び起歪体８をまとめて重量計量部９と呼ぶこととする。
【００４１】
また、ボディ１０は炊飯器の内部構造部品を内装し、蓋１１は本体１の上部を構成する上枠１２の上部に一体成形されたヒンジ部材にピン１３を介して、回転自在に支持されている。蓋１１が設置された場所から鍋２を介して反対側の本体内にマイクロコンピュータ１４が設置され、マイクロコンピュータ１４の上方の本体外部側面に重量等の情報を表示する表示部１５を備えている。
【００４２】
上記構成において、鍋２が本体１内に収納されたとき、鍋２は収納部に接することなく３本のアーム６、ガイド筒１６ａ及び支持盤５により支持される。ここで、支持された鍋２の重量はアーム６、ガイド筒１６ａ及び支持盤５を介して起歪体８に伝達される。起歪体８に伝達された重量は電圧に変換されて前記重量が計算される。その後、計算結果である重量値が表示部１５に表示される。また、鍋２は温度センサー１６に当接して温度が測定される。
【００４３】
上記動作により、鍋２と重量計量部９の間に電磁誘導加熱コイル４を有する構造においても、鍋２の重量を重量計量部９に伝達することが可能となる。その結果、重量計量部をＩＨ炊飯器にも適用することができる。さらに、アーム６は鍋２を支持するとき当接して抵抗となるため、ご飯をよそうとき等に鍋２が回転するのを防止する効果も奏する。
【００４４】
なお、本実施例においては、支持体７として支持盤５及び３本の棒状アーム６を用いたが、棒状アームの数は２本ないし多数本でもよいし、棒状でない形状すなわち板状や円柱状であっても同様の効果が得られる。また、支持盤５についても本実施例においては円状の支持盤を示したが、楕円、多角形もしくは支持盤に該当する部分がない場合についても同様の効果が得られる。
【００４５】
ただし、支持盤に該当する部分がない場合については、アームが鍋及び／又は内容物を支持する役割及び支持盤の役割を同時に備えた場合である。また、ガイド筒１６ａについて、鍋２の底面を支持することが可能な底面支持具であればガイド筒１６ａでなくてもよい。
【００４６】
また、底面支持具を用いることなく鍋２を複数本のアーム６及び支持盤５で支持するようにしてもよい。このときの要部の分解斜視図を図２（ｂ）に示す。
【００４７】
また、各アーム６の先端部分に耐熱弾性体等を設置することにより、鍋２とアーム６の摩擦が増大する。その結果、より大きな鍋の回転抑制効果が得られる。
【００４８】
さらに、本実施例では、重量計量部９は固定具１７ｂを介して本体１に固定されている例を示したが、図３に示すように、保護枠３に設けられた固定台１８に備えつけてもよい。前記固定台１８は本体内部にある保護枠３に設けてあるため、アーム６先端部の位置を正確に規定できる。故に、鍋２の底面と電磁誘導加熱コイル４とのギャップを正確に設定することが可能となり、鍋２に対する熱伝導を均一化するため鍋の加熱効率を高めることができる。
【００４９】
（実施例２）
図４は本発明の実施例２における炊飯器の断面図を示すものである。また、図５は同炊飯器に用いられる鍋２０の底面図である。なお、実施例１の構成と同様の構成を有するものについては、同一符号を付してその説明を省略する。
【００５０】
図４、図５において、実施例１と相違する点は、鍋２０の底面に複数の溝１９を設け、鍋２０の各溝１９に各アーム６の先端が嵌合する構成とした点である。
【００５１】
上記構成により、鍋２０が収納部に収納されたとき、収納部に接することなくアーム６、ガイド筒１６ａ及び支持盤５により支持される。支持された鍋２０の重量はアーム６、ガイド筒１６ａ及び支持盤５を介して起歪体８に伝達される。故に、鍋２０と重量計量部９の間に電磁誘導加熱コイル４を有する構造においても、鍋２０の重量を重量計量部９に伝達することが可能となる。その結果、重量計量部をＩＨ炊飯器にも適用することができる。
【００５２】
また、本体１に鍋２０を収納時、アーム６の先端は鍋２０の底面の溝１９に嵌合するため、本体内において、鍋２０の回転に対する抵抗は溝１９を設けなかった場合よりも増加する。従って、ご飯をほぐしたり茶碗にご飯をよそう時、しゃもじの操作等で鍋２０が回転しようとするが、アーム６の先端が鍋２０の溝１９に嵌合しているため抵抗となり、溝がなかったものよりも、効果的に鍋２０の回転を抑制することができる。
【００５３】
（実施例３）
図６は本発明の実施例３における炊飯器の断面図を示すものである。また、図７は同炊飯器に用いられる鍋２２の底面図である。なお、実施例１の構成と同様の構成を有するものについては、同一符号を付してその説明を省略する。
【００５４】
図６、図７において、実施例１と相違する点は、鍋２２の底面に円周状の溝２１を設け、鍋２２の円周状の溝２１にアーム６の先端が嵌合する構成とした点である。
【００５５】
上記構成により、鍋２２が本体内に収納されたとき、収納部に接することなくアーム６、ガイド筒１６ａ及び支持盤５により支持される。支持された鍋２２の重量はアーム６、ガイド筒１６ａ及び支持盤５を介して起歪体８に伝達される。故に、鍋２２と重量計量部９の間に電磁誘導加熱コイル４を有する構造においても、鍋２２の重量を重量計量部９に伝達することが可能となる。その結果、重量計量部をＩＨ炊飯器にも適用することができる。
【００５６】
また、本体１に鍋２２を収納時、鍋２２の本体１に対する収納方向を軸として鍋２２をどの方向に向けて収納したとしても、アーム６の先端は鍋２２の底面の溝２１に嵌合するため、溝２１とアーム６の位置を気にすることなく、鍋２２を本体内に収納することができ、どの方向で鍋２２を収納したとしても溝２１とアーム６は嵌合する。また、ご飯をほぐしたり茶碗にご飯をよそう時に生じる鍋２２の回転力に対してアーム６の先端が鍋２２の溝２１壁面に当接して抵抗となり、溝がなかったものより効果的に鍋２２の回転を抑制することができる。
【００５７】
なお、底面支持具を用いることなく鍋２２をアーム６及び支持盤５で支持するようにしてもよい点は、実施例２、３においても同様である。
【００５８】
（実施例４）
図８は本発明の実施例４における炊飯器の断面図を示すものである。なお、実施例１の構成と同様の構成を有するものについては、同一符号を付してその説明を省略する。
【００５９】
図８において、実施例１と相違する点は、保護枠３の外側から保護枠胴３ａに設けた貫通孔３ａ１を通って、鍋２の側面を保持する複数本（３本）の側面アーム２３を有する点である。
【００６０】
上記構成により、鍋２が傾くことなく収納方向に垂直に収納された場合、鍋２はガイド筒１６ａ及び支持盤５により支持され、少しでも傾くと側面アーム２３に保持され、ガイド筒１６ａ及び支持盤５により支持される。支持された鍋２の重量は、ガイド筒１６ａ及び支持盤５又は側面アーム２３、ガイド筒１６ａ及び支持盤５を介して起歪体８に伝達される。
【００６１】
故に、鍋２と重量計量部９の間に電磁誘導加熱コイル４を有する構造においても、鍋２の重量を重量計量部９に伝達することが可能となる。その結果、重量計量部をＩＨ炊飯器にも適用することができる。
【００６２】
また、側面アーム２３は鍋２の側面に相対して存在するため、鍋２の本体内への収納時、鍋２を保護枠胴３ａと非接触のまま保持することが可能となる。故に、鍋２と保護枠胴３ａとの接触による計量誤差を生じさせない状態で、ガイド筒１６ａ及び支持盤５又は側面アーム２３、ガイド筒１６ａ及び支持盤５を介して起歪体８に鍋及び／又は内容物の重量を正確に伝えることが可能となる。
【００６３】
また、側面アーム２３の存在により、少しでも中心付近からずれると鍋２の側面に部分的に当接して抵抗となるため、ご飯をよそうとき等に生じる鍋２の回転を抑制することができる。さらに、側面アーム２３の貫通孔３ａ１を保護枠胴３ａに設けているため、電磁誘導加熱コイル４の設置にさらに裕度が生まれる。
【００６４】
（実施例５）
図９は本発明の実施例５における炊飯器の断面図を示すものである。また、図１０は同炊飯器に用いられる鍋２５の底面図である。なお、実施例４の構成と同様の構成を有するものについては、同一符号を付してその説明を省略する。
【００６５】
図９において、実施例４と相違する点は、鍋２５の側面に深さ方向に対して同一方向に伸びる直線状の複数（３本）の溝２４を設け、溝２４に側面アーム２３の先端が嵌合する構成とした点である。
【００６６】
上記構成により、鍋２５が傾くことなく収納方向に垂直に収納された場合、鍋２５はガイド筒１６ａ及び支持盤５により支持され、少しでも傾くと側面アーム２３に保持され、ガイド筒１６ａ及び支持盤５により支持される。
【００６７】
支持された鍋２５の重量はガイド筒１６ａ及び支持盤５又は側面アーム２３、ガイド筒１６ａ及び支持盤５を介して起歪体８に伝達される。故に、鍋２５と重量計量部９の間に電磁誘導加熱コイル４を有する構造においても、鍋２５の重量を重量計量部９に伝達することが可能となる。その結果、重量計量部をＩＨ炊飯器にも適用することができる。
【００６８】
また、本体１に鍋２５を収納時、側面アーム２３の先端は鍋２５の側面の溝２４に嵌合するため、本体内において、鍋２５の回転に対する抵抗は溝２４を設けなかった鍋の回転に対する抵抗よりも増大する。故に、ご飯をほぐしたり茶碗にご飯をよそう時、しゃもじの操作で鍋２５が回転しようとするが、側面アーム２３の先端が鍋２５の溝２４壁面に部分的に当接して抵抗となり、溝２４を設けなかったものよりも、より効果的に鍋２５の回転を抑制することができる。
【００６９】
（実施例６）
図１１は本発明の実施例６における炊飯器の断面図を示すものである。なお、実施例４の構成と同様の構成を有するものについては、同一符号を付してその説明を省略する。
【００７０】
図１１において、実施例４と相違する点は、側面アーム２８の先端にガイドローラー２６を回転自在に設け、かつ前記ガイドローラー２６の外周にゴムローラー２７を備えた点である。
【００７１】
上記構成により、鍋２が傾くことなく収納方向に垂直に収納された場合、鍋２はガイド筒１６ａ及び支持盤５により支持され、少しでも傾くと側面アーム２８に保持され、ガイド筒１６ａ及び支持盤５により支持される。支持された鍋２の重量はガイド筒１６ａ及び支持盤５又は側面アーム２８、ガイド筒１６ａ及び支持盤５を介して起歪体８に伝達される。
【００７２】
故に、鍋２と重量計量部９の間に電磁誘導加熱コイル４を有する構造においても、鍋２５の重量を重量計量部９に伝達することが可能となる。その結果、重量計量部をＩＨ炊飯器にも適用することができる。
【００７３】
また、鍋２を本体内に収納するとき、側面アーム２８の先端に取付けたガイドローラー２６及びゴムローラー２７が回転することにより、本体内における鍋２の収納、取出しをスムーズに行うことが可能となる。
【００７４】
あわせて、本体内において、ガイドローラー２６及びゴムローラー２７を設けなかった側面アーム２３と鍋２の間の距離よりも、ガイドローラー２６及びゴムローラー２７を設けた側面アーム２８の先端と鍋２の間の距離を短縮させることが可能となる。上記側面アームの先端と鍋外周部の距離は大きければ大きいほど重量計量時に精度誤差として反映されてしまうため、この距離は短ければ短いほど望ましい。
【００７５】
故に、本実施例に示すガイドローラー２６及びゴムローラー２７を設けた側面アーム２８を用いることでアーム先端と鍋の外周部の間の距離を短縮し、計量精度誤差を小さくすることが可能となる。
【００７６】
また、ガイドローラー２６及びゴムローラー２７は、鍋２の本体内に対する収納、取出し方向に作用する力に対してのみ回転する。故に、ご飯をほぐしたり茶碗にご飯をよそう時において生じる力、すなわち、しゃもじの操作で生じる回転力に対しては、ガイドローラー２６及びゴムローラー２７は抵抗となり、ガイドローラー２６及びゴムローラー２７を設けなかったものよりも、より効果的に鍋２の回転を抑制することができる。
【００７７】
なお、本実施例では、ガイドローラー２６及びゴムローラー２７を設けた側面アーム２８を示したが、鍋の収納、取出し方向にのみ回転する回転体であれば同様の効果が得られる。
【００７８】
（実施例７）
図１２は本発明の実施例７における炊飯器の鍋の底面図を示すものである。なお、実施例５の構成と同様の構成を有するものについては、同一符号を付してその説明を省略する。
【００７９】
図１２において、実施例５と相違する点は、各側面アーム２８の先端に、鍋２５の側面に設けた各側面溝２４に嵌合するガイドローラー２６を回転自在に設け、ゴムローラー２７をガイドローラー２６に設けた点である。
【００８０】
上記構成により、鍋２５が傾くことなく収納方向に垂直に収納された場合、鍋２５はガイド筒１６ａ及び支持盤５により支持され、少しでも傾くと側面アーム２８に保持され、ガイド筒１６ａ及び支持盤５により支持される。支持された鍋２の重量はガイド筒１６ａ及び支持盤５又は側面アーム２８、ガイド筒１６ａ及び支持盤５を介して起歪体８に伝達される。
【００８１】
故に、鍋２５と重量計量部９の間に電磁誘導加熱コイル４を有する構造においても、鍋２５の重量を重量計量部９に伝達することが可能となる。その結果、重量計量部をＩＨ炊飯器にも適用することができる。あわせて、上記鍋２５の外周部と側面アーム２８との間の距離についても短縮することができ、計量精度誤差を上記実施例５より小さくすることが可能となる。
【００８２】
また、鍋２５の側面溝２４にガイドローラー２６が入り込む構成になるため、鍋２５の回転に対する側面アーム２８の抵抗は側面溝２４を設けなかった場合よりも大きくなる。結果として、より効果的に鍋２５の回転を抑制することができる。
【００８３】
なお、本実施例では、ガイドローラー２６及びゴムローラー２７を設けた側面アーム２８を示したが、鍋２５の収納、取出し方向にのみ回転する回転体であれば同様の効果が得られる。
【００８４】
さらに、アームの先端に耐熱弾性体等を設けることにより得られる鍋の回転抑制効果及び固定台１８に重量計量部９を設置することにより得られる計量精度向上の効果は実施例２〜７に適用しても同様に得られる。あわせて、側面アーム２３の貫通孔３ｂ１を保護枠胴３ａに設けることで電磁誘導加熱コイル４の設置にさらに裕度が生まれる効果は、実施例５〜７においても同様に得られる。
【産業上の利用可能性】
【００８５】
本発明は、支持体を備えた重量計量部を用いることにより電磁誘導加熱部を有するＩＨ炊飯器に対して、重量計量部の適用が可能となり自動重量計量ＩＨ炊飯器を提供することができる。
【図面の簡単な説明】
【００８６】
【図１】本発明の実施例１における炊飯器の断面図
【図２】（ａ）同要部の分解斜視図（ｂ）同要部の他の例を示す分解斜視図
【図３】固定台を用いて重量計量部を設置した炊飯器の断面図
【図４】本発明の実施例２における炊飯器の断面図
【図５】本発明の実施例２における鍋の底面図
【図６】本発明の実施例３における炊飯器の断面図
【図７】本発明の実施例３における鍋の底面図
【図８】本発明の実施例４における炊飯器の断面図
【図９】本発明の実施例５における炊飯器の断面図
【図１０】本発明の実施例５における鍋の底面図
【図１１】本発明の実施例６における炊飯器の断面図
【図１２】本発明の実施例７における炊飯器の要部の底面図
【図１３】従来の計量炊飯器を示す断面図
【図１４】従来のＩＨ炊飯器を示す断面図
【符号の説明】
【００８７】
１  本体
２  鍋
３  保護枠（収納部）
３ａ  保護枠胴
３ａ１  保護枠胴貫通孔
３ｂ  保護枠下
３ｂ１、３ｂ２  保護枠下貫通孔
４  電磁誘導加熱コイル（電磁誘導加熱部）
５  支持盤
６  アーム
７  支持体
８  起歪体
９  重量計量部
１６ａ  ガイド筒（底面保持具）
１９  底面溝
２０  底面溝を有する鍋
２１  底面円周溝
２２  底面円周溝を有する鍋
２３  側面アーム
２４  側面溝
２５  側面溝を有する鍋
２６  ガイドローラー
２７  ゴムローラー
２８  側面アーム
【図１】
2006212052.tif 000003
【図２】
2006212052.tif 000004
【図３】
2006212052.tif 000005
【図４】
2006212052.tif 000006
【図５】
2006212052.tif 000007
【図６】
2006212052.tif 000008
【図７】
2006212052.tif 000009
【図８】
2006212052.tif 000010
【図９】
2006212052.tif 000011
【図１０】
2006212052.tif 000012
【図１１】
2006212052.tif 000013
【図１２】
2006212052.tif 000014
【図１４】
2006212052.tif 000015
【図１３】
2006212052.tif 000016